(57)【要約】【課題】  記録用紙に画像を記録する際に発生するカールやカックルを抑制することを目的とする。【解決手段】  用紙Ｐを吸着保持するトレイ６２を複数設けて上下動させることで、生産性を落とさず用紙Ｐの水分を乾燥させて、下方位置にある次工程に送ることができる。また、裏面に画像を形成する（裏面印字）場合、用紙Ｐに発生する変形（カール、カックル）が抑制されているので、記録ヘッド３８と用紙Ｐの間のギャップが場所によって変動する恐れがない。これにより、インク滴の着弾タイミングのずれの発生を防止できる。また、用紙Ｐの裏面に画像を形成するときも、ジャムが発生したり、画像が乱れるのを防止できる。【選択図】    図２
2006256158.tif 000002
【特許請求の範囲】
【請求項１】
記録媒体幅を吐出領域とする液滴吐出ヘッドと、前記液滴吐出ヘッドの吐出領域に前記記録媒体を吸着保持して搬送する搬送手段と、前記搬送手段から前記記録媒体が送り込まれる排紙部と、を有し、画像情報に基づき前記液滴吐出ヘッドから液滴を吐出させ、前記記録媒体に画像を記録する画像記録装置であって、
前記搬送手段から送り渡された前記記録媒体を吸着保持して上下動し、次工程へ搬送する吸着保持手段を複数個設けたことを特徴とする画像記録装置。
【請求項２】
前記吸着保持手段は、上下方向に循環する移動手段と、該移動手段に所定の間隔で取り付けられ、前記記録媒体を吸着保持する可撓性の吸着保持部材と、前記吸着保持部材の自由端部を支持する段部が上下方向に形成された支持部材と、で構成されていることを特徴とする請求項１に記載の画像記録装置。
【請求項３】
前記支持部材は、前記移動手段の移動に伴って上下方向に循環するベルトと、前記ベルトに取り付けられ、前記吸着保持部材の自由端部を支持する移動段部とで構成されていることを特徴とする請求項２に記載の画像記録装置。
【請求項４】
前記吸着保持手段は、上下方向に循環する移動手段と、該移動手段に所定の間隔で回動可能に取り付けられ、前記記録媒体を吸着保持する折り畳み可能な吸着保持トレイと、移動手段に設けられ前記吸着保持トレイの取付部を支持する支持台と、前記吸着保持トレイの折り畳み部に設けられ、該吸着保持部材の取付部が前記支持台で支持されたとき折り畳みを阻止する受け板と、で構成されていることを特徴とする請求項１に記載の画像記録装置。
【請求項５】
前記吸着保持手段は、前記記録媒体を吸着保持する吸着保持シートと、前記吸着保持シートを巻取り・巻出し可能な上流側シートロールが上下方向に複数段設置された上流側ロール搬送手段と、
前記上流側ロール搬送手段の下流側に配置され、吸着保持シートを巻取り・巻出し可能な下流側シートロールが上下方向に複数段配置された下流側ロール搬送手段と、
前記上流側シートロールから前記吸着保持シートを巻き出して記録媒体を受ける工程と、
前記下流側シートロールから前記吸着保持シートを巻き出し、前記上流側シートロールを巻き取って、前記記録媒体を下流側シートロールの前記吸着保持シートに受け渡す工程と、
前記上流側シートロールから前記吸着保持シートを巻き出し、前記下流側シートロールを巻き取って、前記記録媒体を上流側シートロールの前記吸着保持シートに受け渡す工程と、
を繰り返して、前記記録媒体を下方へ移動させ、次工程へ送る制御手段と、
を有することを特徴とする請求項１に記載の画像記録装置。
【請求項６】
前記吸着保持手段は、下方に傾斜した上流側吸着トレイが一定の間隔で複数段設けられた上流側固定受け部材と、
前記上流側トレイの間に入り込むように下方に傾斜した下流側吸着トレイが一定の間隔で複数段設けられた下流側移動受け部材と、
前記下流側移動受け部材を前記上流側移動受け部材に対して所定のタイミングで接離させるスライド手段と、
を有することを特徴とする請求項１に記載の画像記録装置。
【請求項７】
前記吸着保持手段は、前記記録媒体の両端部に設けられ、該記録媒体の端部を吸着保持する吸着保持アームと、前記吸着保持アームが上下方向に一定の間隔で取り付けられ、該吸着保持アームを下方に移動させながら、対向する該吸着保持アームとを互いに離間させるアーム支持部材と、を有することを特徴とする請求項１に記載の画像記録装置。
【請求項８】
前記吸着保持手段は、前記記録媒体の両端部に設けられ、該記録媒体の端部を吸着保持する吸着保持板と、
前記吸着保持板が取り付けられた第１歯車と、
前記第１歯車に噛合する第２歯車を同軸上に有する第３歯車と、
前記第３歯車を下方に移動させながら、前記記録媒体の両端部に位置する該第３歯車を互いに離間させるチェーン部材と、
前記第３歯車に噛合して、該第３歯車を前記チェーン部材に対して強制的に回動させ、対向する前記第３歯車が互いに離間するとき、前記吸着保持板の姿勢を維持する第４歯車と、
を有することを特徴とする請求項１に記載の画像記録装置。
【請求項９】
歯車の歯の大きさを同一とし、前記第１歯車の回転半径をｒ3、前記第２歯車の回転半径をｒ2、前記第３歯車の回転半径をｒ1、前記第４歯車の回転半径をｒ0としたとき、歯数比がｒ0／ｒ1＝ｒ3／ｒ2の関係にあることを特徴とする請求項８に記載の画像記録装置。
【請求項１０】
前記吸着保持手段は、上下方向に一定の間隔で設けられた複数の吸着保持トレイを有し、前記吸着保持トレイは、前記記録媒体を順次受け取り上下方向に移動して、所定位置で順次記録媒体を排出して、所定位置へ上昇することを特徴とする請求項１に記載の画像記録装置。
【請求項１１】
前記吸着保持手段には、電圧印加手段に接続された吸着シートが設けられ、前記電圧印加手段からの電圧供給をオン・オフさせることで、前記吸着シートの吸着保持力がオン・オフされることを特徴とする請求項１〜請求項６及び請求項１０のいずれか１項に記載の画像記録装置。
【発明の詳細な説明】
【技術分野】
【０００１】
本発明は、液滴吐出ヘッドから記録媒体へ液滴を吐出して記録を行う画像記録装置に関する。
【背景技術】
【０００２】
記録用紙の用紙幅をカバーする、いわゆるＦＷＡ（Ｆｕｌｌ  Ｗｉｄｔｈ  Ａｒｒａｙ：用紙幅）インクジェット記録ヘッドを用いたプリンターは、いわゆるシリアル型のインクジェットプリンタに比較して主走査を行わないため大幅な印字高速化を図ることができる。
【０００３】
インクジェット印字方式では、油性インクや溶媒系インクを用いた場合、環境への負荷が大きいため、水を多量に含む水溶性インクを吐出して印字する方法が主流である。この水溶性インクを用いる場合、印字に伴って記録用紙に多量の水分が付与される。
【０００４】
しかし、インクの水分によって記録用紙はコシがなくなったり、カールやカックル（部分的な凹凸）が生じてしまう。これにより、ハンドリングが悪くなったり、記録用紙に印字された画像や文字の品質が低下する。
【０００５】
そこで、記録用紙に印字を行った後、搬送方向下流側に設置されたカール矯正機構で記録用紙のカールを修正することが行われている（特許文献１参照）。しかし、特許文献１では、搬送ベルトとローラの間に記録用紙を通してカールを矯正しているため、インクが乾燥する前に印字面に触れた場合に、インクがローラにオフセットしてしまい、このオフセットしたインクによって記録用紙に形成される画像が乱れる恐れがある。
【０００６】
また、一方の面に印字した記録用紙を用紙反転装置で反転させて、他方の面にも印字を行う、いわゆる両面印字が行われる場合がある（特許文献２参照）。両面印字を行う際、一方の面に印字を行い、カールやカックルが生じた記録用紙の他方の面に印字を行うことになり、インクジェット記録ヘッドと用紙間のギャップが場所によって変動してしまう。これにより、インク滴の着弾タイミングがずれてしまい、画質低下に繋がる。また、用紙の変形が大きい場合は、インクジェット記録ヘッドに用紙が接触してしまい、最悪の場合は紙詰まりを起こすことがある。その結果、インクジェット記録ヘッドの吐出性能を損なったり、吐出不能にいたる故障の原因ともなる。
【特許文献１】特開平１０−１８１９７９号公報
【特許文献２】特開２００３−１２８３１９号公報
【発明の開示】
【発明が解決しようとする課題】
【０００７】
本発明は上記問題を考慮し、記録用紙に画像を記録する際に発生するカールやカックルを抑制することを目的とする。
【課題を解決するための手段】
【０００８】
請求項１に記載の本発明は、記録媒体幅を吐出領域とする液滴吐出ヘッドと、前記液滴吐出ヘッドの吐出領域に前記記録媒体を吸着保持して搬送する搬送手段と、前記搬送手段から前記記録媒体が送り込まれる排紙部と、を有し、画像情報に基づき前記液滴吐出ヘッドから液滴を吐出させ、前記記録媒体に画像を記録する画像記録装置であって、前記搬送手段から送り渡された前記記録媒体を吸着保持して上下動し、次工程へ搬送する吸着保持手段を複数個設けたことを特徴としている。
【０００９】
請求項１に記載の発明によれば、液滴吐出ヘッドから液滴が吐出されて画像が形成された記録媒体は、搬送手段から吸着保持手段に送り渡され、上下動する複数個の吸着保持手段によって吸着保持されて、下方位置の次工程へ搬送される。
【００１０】
このように、記録媒体を吸着保持する吸着保持手段を複数設けて上下動させることで、生産性を落とさず記録媒体の水分を乾燥させて、下方位置にある次工程に送ることができる。
【００１１】
また、裏面に画像を形成する（裏面印字）場合、記録媒体に発生する変形（カール、カックル）が抑制されているので、液滴吐出ヘッドと記録媒体の間のギャップが場所によって変動する恐れがない。これにより、液滴の着弾タイミングのずれの発生を防止できる。また、記録媒体の裏面に画像を形成するときも、ジャムが発生したり、画像が乱れるのを防止できる。
【発明の効果】
【００１２】
本発明は上記構成としたので、記録用紙に画像を記録する際に発生したカールやカックルを抑制することができる。
【発明を実施するための最良の形態】
【００１３】
以下、図面を参照して本発明の第１の実施形態に係る画像記録装置１０について説明する。
【００１４】
図１に示されるように、本実施形態の画像記録装置（インクジェット記録装置）１０は画像記録装置本体１２を備え、画像記録装置本体１２の下部に、用紙Ｐが束状に積層されて収納される給紙トレイ１４が配置されている。
【００１５】
給紙トレイ１４の先端部の上方には、ピックアップローラ１６が配置されている。このピックアップローラ１６は、給紙トレイ１４内に収納され図示しない積載板により上方へ付勢された用紙Ｐ上面の先端側に圧接しており、画像記録装置１０による印字動作で所定方向へ所定量回転されることにより、給紙トレイ１４内から最上部の用紙Ｐを１枚取り出す。
【００１６】
給紙トレイ１４の上方には、給紙トレイ１４の先端部（ピックアップローラ１６の用紙Ｐとの圧接部）付近から湾曲して延出されて搬送装置２４に至る搬送路２０が設けられている。
【００１７】
搬送路２０には搬送ローラ対２２が複数配置されており、給紙トレイ１４からピックアップローラ１６によって取り出された用紙Ｐは、この搬送ローラ対２２によって搬送路２０に沿って搬送装置２４へ送り込まれるようになっている。
【００１８】
画像記録装置本体１２の略中央には、搬送装置２４が設けられている。搬送装置２４は、記録ヘッド３８の両側に配置された２本のローラ２５、２６と、ローラ２５、２６の間に位置し、且つ、ローラ２５、２６よりも下方に配置されたローラ２７を備えており、これらのローラ２５、２６、２７には、無端状の搬送ベルト２８が巻き掛けられている。これにより、用紙Ｐの搬送方向上流側（図では左側）に配置されたローラ２５が図示しない駆動モータによって回転駆動されることにより、搬送ベルト２８は所定の方向（矢印Ａ方向）へ回転移動する構成となっている。
【００１９】
ローラ２５近傍には帯電ローラ３０が配置されており、搬送ベルト２８は帯電ローラ３０によって帯電される。これにより、用紙Ｐは搬送ベルト２８に静電吸着され、搬送ベルト２８の回転移動に伴い矢印Ａ方向へ搬送される。
【００２０】
また、ローラ２６Ｂ近傍には除電機構３２が配設されている。搬送ベルト２８の回転移動によって除電機構３２が配設された位置まで搬送された用紙Ｐは、除電機構３２によって除電されて搬送ベルト２８から剥離される。そして、ローラ２６Ｂの搬送方向下流側に設けられた剥離部材３４によって案内されて、搬送装置２４の搬送方向下流側に設けられた一時スタックトレイ５０又は排紙トレイ１８へ搬送される。なお、一時スタックトレイ５０の構成については後述する。
【００２１】
一時スタックトレイ５０の下方には、用紙受け渡し装置４２が設けられている。用紙受け渡し装置４２は、搬送装置２４のローラ２７に近接して配設されたローラ４４と、このローラ４４と略平行に設けられたローラ４５を有しており、ローラ４４、４５には無端状の搬送ベルト４６が巻き掛けられている。ローラ４４には図示しない駆動モータが接続されており、駆動モータの回転駆動によってローラ４４が回転すると、搬送ベルト４６は所定の方向（矢印Ｂ方向）に回転移動する構成となっている。
【００２２】
ローラ４４近傍には、帯電ローラ４８が配置されており、搬送ベルト４６は帯電ローラ４８によって帯電される。これにより、用紙Ｐは搬送ベルト４６に静電吸着され、搬送ベルト４６の回転移動に伴い矢印Ｂ方向へ搬送される。
【００２３】
一方、搬送ベルト２８の上側には記録ヘッドユニット３６が配置されている。記録ヘッドユニット３６は、図示しない昇降機構により駆動されて上下方向に移動する構成となっている。この記録ヘッドユニット３６には、搬送ベルト２８の回転移動方向（用紙Ｐの搬送方向）の上流側から順に、シアン（Ｃ）、イエロー（Ｙ）、マゼンタ（Ｍ）及び黒（Ｋ）の４色の液滴を、搬送ベルト２８によって搬送される用紙Ｐにそれぞれ所定のタイミングで吐出しカラー画像を形成する記録ヘッド３８Ｃ、３８Ｍ、３８Ｙ、３８Ｋが、搬送ベルト２８の回転移動方向に沿って配設されている。
【００２４】
画像記録装置本体１２には、シアン、マゼンタ、イエロー及びブラックの４色の液滴をそれぞれ貯溜するインクタンク４０Ｃ、４０Ｍ、４０Ｙ、４０Ｋが設けられており、記録ヘッド３８Ｃ〜３８Ｋには、これらのインクタンク４０Ｃ〜４０Ｋから図示しない配管を通して各色のインクが供給される。
【００２５】
ここで、上記の構成とされた本実施形態の画像記録装置１０による印字動作（カラー画像記録動作）について説明する。
【００２６】
画像記録装置１０では、印字ジョブが入力されて印字動作が開始されると、図示しない駆動モータに接続されたローラ２５が回転して、搬送ベルト２８が矢印Ａ方向へ回転移動されると共に、給紙トレイ１４側ではピックアップローラ１６が回転し、給紙トレイ１４に収容された用紙束から最上部の用紙Ｐを１枚取り出して搬送路２０へ送り出す。取り出された用紙Ｐは、複数の搬送ローラ対２２によって搬送ベルト２８の最上流部まで搬送され、搬送ベルト２８へ送り込まれる。
【００２７】
この搬送ベルト２８の回転移動に伴う用紙Ｐの搬送に同期して、記録ヘッドユニット３６の記録ヘッド３８Ｃ〜３８Ｋが作動し、記録ヘッド３８Ｃ〜３８Ｋはインクタンク４０Ｃ〜４０Ｋから供給されたインクを所定のタイミングでノズルから吐出する。
【００２８】
搬送ベルト２８によって搬送される用紙Ｐの表面には、記録ヘッド３８Ｃ〜３８Ｋから吐出されたシアン、マゼンタ、イエロー、ブラックの各色のインク滴が順次着弾され、これらのインク滴によって形成された各色の画像が重畳されカラー画像が記録される。
【００２９】
そして、用紙Ｐの片面にのみ画像が形成される、いわゆる片面印字の場合には、用紙Ｐは搬送ベルト２８上を搬送されて、搬送装置２４と排紙トレイ１８の間の搬送路１７に設けられた拍車ローラ１９によって、先端の浮き上がり等が矯正されながら排紙トレイ１８へ排出される。
【００３０】
一方、用紙Ｐの両面に画像が形成される、いわゆる両面印字の場合には、一方の面に画像が形成された用紙Ｐは搬送ベルト２８によって搬送され、一時スタックトレイ５０へ送り込まれる。そして、一時スタックトレイ５０によって下方に搬送されて、用紙受け渡し装置４２に搬送される。
【００３１】
用紙受け渡し装置４２に搬送された用紙Ｐは、搬送ベルト４６上を搬送されて、ローラ２７とローラ４４のニップ部に送り込まれる。そして、搬送ベルト２８に静電吸着されて、記録ヘッドユニット３６の下に表裏反転された状態で搬送される。これにより、用紙Ｐの裏面に画像が形成される、いわゆる、用紙Ｐの両面に画像が形成されるようになっている。
【００３２】
次に、一時スタックトレイ５０の構成について説明する。
【００３３】
図２に示すように、一時スタックトレイ５０は、一方向が開口された略箱状の筐体５２を有しており、筐体５２の開口側と対向する側壁５２Ａ近傍には、トレイ搬送装置５４が設けられている。
【００３４】
トレイ搬送装置５４は、上下方向に配設されたローラ５６、５８を有しており、このローラ５６、５８には、無端状のベルト６０が巻き掛けられている。ローラ５６には、図示しない駆動モータが接続されており、駆動モータの回転駆動によってローラ５６が回転することで、ベルト６０は所定の方向（矢印Ｃ方向）へ回転移動する構成となっている。
【００３５】
ベルト６０には、上下方向に（ベルト６０の移動方向に沿って）所定の間隔で複数のトレイ６２が取り付けられている。これにより、複数のトレイ６２は、ベルト６０の回転移動によって上下方向に移動する構成となっている。これにより、用紙Ｐは複数のトレイ６２によって、複数枚同時に搬送される。
【００３６】
トレイ６２は、可撓性を有する樹脂フィルムで略矩形状に形成され、トレイ６２は撓みやすい構成となっている。また、図３（Ａ）に示すように、トレイ６２の一端は、接着剤６１によってベルト６０に対して略鉛直となるように固定され、外力が作用しないときは平板状になる。
【００３７】
これにより、図２に示すように、トレイ６２の一端（ベルト６０に取り付けられた部分）が筐体５２の側壁５２Ａ及び側壁５２Ａと直交する側壁５２Ｂ、５２Ｃに対向した位置にあるときには、トレイ６２はトレイ搬送装置５４とこれらの側壁５２Ａ、５２Ｂ、５２Ｃとの間に挟まれて、側壁５２Ａ、５２Ｂ、５２Ｃに沿った状態で撓むようになっている。
【００３８】
一方、用紙Ｐを搬送する搬送領域、つまり、トレイ６２の自由端が筐体５２の開口側に位置するときは、トレイ６２には外力が作用しないため、平板状となり用紙Ｐを吸着保持する。
【００３９】
図２に示すように、トレイ搬送装置５４の搬送方向上流側には、トレイ支持柱７４が設けられている。トレイ支持柱７４は、上下方向に伸びる長尺状の柱部７６を有し、柱部７６のトレイ搬送装置５４に対向する側壁７６Ａには、ベルト６０に取り付けられたトレイ６２と同じ間隔で、上下方向に沿って複数の支持段部７８が設けられている。支持段部７８は断面形状が略三角状とされており、トレイ６２の自由端が、この支持段部７８の上面７８Ａで支持される構成となっている。
【００４０】
なお、本実施形態では、図３（Ａ）に示すように、トレイ６２の一端をベルト６０に対して略鉛直に固定させたが、図３（Ｂ）に示すように、トレイ６２の一端をベルト６０に回転可能に取り付けて、トレイ６２の自由端部をベルト６０に設けた支持台６４で支持するようにしてもよい。これにより、トレイ６２は、支持台６４が設けられた側と反対方向に撓みやすくなるので、トレイ６２を側壁５２Ａ、５２Ｂ、５２Ｃとトレイ搬送装置５４の間で挟みながら回転移動しても、トレイ搬送装置５４に掛かる負荷が大きくならない。また、トレイ６２が撓む角度が大きいため、トレイ６２が移動するスペースを必要としない。
【００４１】
さらに、図４に示すように、トレイ６２の自由端部には、平面視で略コ字状の切欠６６が形成されており、トレイ６２に用紙Ｐが載置されると、用紙Ｐの端部が切欠６６からはみ出すようになっている。
【００４２】
これにより、図２に示すように、ベルト６０の回転移動によってトレイ６２が下方に移動して、トレイ６２上の用紙Ｐが用紙受け渡し装置４２のベルト６０に接触すると、用紙Ｐの切欠６６（図４参照）からはみ出した部分がベルト６０に接触して、ベルト４６に静電吸着されるので、トレイ６２からベルト４６へ円滑に用紙Ｐが受け渡される。
【００４３】
また、図５（Ａ）に示すように、トレイ６２には用紙吸着シート６８が貼着されている。図５（Ｂ）に示すように、用紙吸着シート６８は樹脂フィルムで形成されており、内側には電極７０が設けられている。この電極７０には給電部材７１が接続されており、給電部材７１がベルト６０の幅方向の両端部にベルト６０に沿って配設された給電レール７３に接触することで、電圧が印加されるようになっている。つまり、ベルト６０の回転移動によってトレイ６２が平板状とされると同時に給電部材７１が給電レール７３と接触して、用紙Ｐがベルト４６に接触する直前で給電部材７１が給電レール７３から離れる構成となっている。
【００４４】
これにより、トレイ６２の自由端が支持段部７８に支持され平板状とされると、用紙吸着シート６８が帯電されて静電吸着力が発生し、用紙Ｐが用紙吸着シート６８に静電吸着されるようになっている。また、トレイ６２からベルト４６へ用紙Ｐが受け渡される直前で、用紙吸着シート６８への給電が停止され、用紙吸着シート６８の静電吸着力が解除される。そして、用紙Ｐはトレイ６２からベルト４６へ円滑に受け渡される。
【００４５】
なお、本実施形態では、トレイ６２に電極７０を有する用紙吸着シート６８を貼着させて、用紙吸着シート６８に用紙を吸着させる構成としたが、トレイ６２に直接電極を埋め込むことで、トレイ６２に静電吸着力を発生させる構成としてもよい。
【００４６】
ここで、両面印字時の用紙Ｐの搬送経路について説明する。搬送装置２４の搬送ベルト２８の回転移動によって搬送された用紙Ｐは、図２に示すように、筐体５２の開口側に設けられた拍車ローラ５３によって先端の浮き上がり等が矯正され、ガイド部材５５に案内されて一時スタックトレイ５０の最上部のトレイ６２に送り込まれる。
【００４７】
そして、図６（Ａ）及び図６（Ｂ）に示すように、ベルト６０が矢印Ｃ方向に回転移動すると、一端がベルト６０に取り付けられたトレイ６２の自由端は、支持段部７８を滑り落ちながら矢印Ｃ方向に移動する。
【００４８】
図６（Ｃ）に示すように、トレイ６２が支柱の一番下側にある支持段部７８よりもさらに矢印Ｃ方向に移動して、トレイ６２の自由端部に形成された切欠６６（図４参照）からはみ出した用紙Ｐは、用紙受け渡し装置４２のベルト４６に接触し、図６（Ｄ）に示すように用紙受け渡し装置４２に受け渡される。そして、搬送ベルト４６に静電吸着され、用紙Ｐがローラ４４とローラ２７のニップ部へ搬送されると、用紙Ｐは搬送ベルト４６から剥離されて、搬送ベルト２８に静電吸着される。
【００４９】
このとき、用紙受け渡し装置４２の搬送ベルト４６の帯電量よりも、搬送装置２４の搬送ベルト２８の帯電量を大きくする。これにより、搬送ベルト２８の静電吸着力が搬送ベルト４６の静電吸着力よりも大きくなるので、用紙Ｐは搬送ベルト４６から搬送ベルト２８へ円滑に受け渡される。
【００５０】
なお、本実施形態では、用紙受け渡し装置４２のローラ４４を、搬送装置２４のローラ２７に近接させる構成としたが、ローラ４４は、ローラ２７に近接させず若干離間させた位置に配設してもよい。このとき、ローラ４４近傍に例えば除電機構を設けて、用紙Ｐを除電して搬送ベルト４６から剥離させたり、用紙Ｐ自身のコシによって用紙Ｐを搬送ベルト４６から剥離させ、搬送装置２４の搬送ベルト２８に静電吸着させてもよい。
【００５１】
また、ローラ４４に接続された駆動モータによってローラ４４を回転させ、搬送ベルト４６を回転移動させる構成としたが、搬送装置２４のローラ２７にローラ４４を近接させることで、ローラ２７の回転によってローラ４４を従動回転させれば、搬送ベルト４６の搬送速度と搬送ベルト２８の搬送速度の間に速度差が発生しないので、搬送ベルト４６から搬送ベルト２８へ円滑に用紙Ｐが搬送される。
【００５２】
次に、本発明の第１の実施形態の作用について説明する。
【００５３】
記録ヘッド３８Ｃ〜３８Ｋからインク滴が吐出されて画像が形成された用紙Ｐは、搬送装置２４から一時スタックトレイ５０に送り渡され、下方に移動する複数のトレイ６２によって吸着保持されて、画像記録装置本体１２の下方にある用紙受け渡し装置４２へ搬送される。
【００５４】
このように、画像が形成された用紙Ｐを吸着保持するトレイ６２を複数設けて下方に移動させることで、生産性を落とさず用紙Ｐの水分を乾燥させて、用紙受け渡し装置４２に送ることができる。
【００５５】
また、裏面に画像を形成する（裏面印字）場合、用紙Ｐに発生する変形（カール、カックル）が抑制されているので、記録ヘッド３８と用紙Ｐの間のギャップが場所によって変動する恐れがない。これにより、インク滴の着弾タイミングのずれの発生を防止できる。また、用紙Ｐの裏面に画像を形成するときも、ジャムが発生したり、画像が乱れるのを防止できる。
【００５６】
さらに、一時スタックトレイ５０で複数枚の用紙Ｐを上下方向に保持可能とすることで、画像記録装置本体１２の搬送方向には用紙Ｐ１枚分のスペースしか必要としないため、画像記録装置本体１２が搬送方向に大きくなることがない。また、用紙Ｐはそれぞれ１枚ずつのトレイ６２に吸着保持されるので、いわゆる隔離された状態で搬送される。これにより、用紙Ｐに吐出された液滴が、他の用紙Ｐにオフセットすることがない。
【００５７】
さらに、一時スタックトレイ５０の下方に設けた用紙受け渡し装置４２で用紙Ｐの搬送方向を変更することで、一時スタックトレイ５０は上下方向にのみ用紙Ｐを搬送する構成とすることができる。つまり、一時スタックトレイ５０に用紙Ｐを反転させる機構を持たせる必要がないので、一時スタックトレイ５０の構成が複雑にならない。
【００５８】
また、上下方向に循環するベルト６０に所定の間隔で可撓性のトレイ６２が取り付けられており、このトレイ６２の自由端部は、トレイ支持柱７４の支持段部７８に支持されている。これにより、トレイ６２は垂れ下がらずに用紙Ｐを保持できる姿勢を保ちながら上下方向に移動することができる。また、上方へ移動するときは筐体５２当たって折り曲がるので、トレイ６２が移動するスペースを必要としない。
【００５９】
次に、本発明の第２の実施形態に係る画像記録装置８０に搭載された一時スタックトレイ８２ついて説明する。なお、第１の実施形態と同様の部分についての説明は割愛する。
【００６０】
図７に示すように、一時スタックトレイ８２のトレイ支持部材８４は、上下方向に２本のローラ８６、８８を有しており、このローラ８６、８８には無端状のベルト９０が巻き掛けられる。ベルト９０には、トレイ搬送装置５４のベルト６０に取り付けられたトレイ６２と同じ間隔で、上下方向に沿って複数の支持台９２が設けられている。
【００６１】
ローラ８６には駆動モータが接続されており、ローラ８６の回転によってベルト９０が矢印Ｄ方向に移動すると、ベルト９０の回転移動に伴って支持台９２が矢印Ｄ方向に移動する構成となっている。このとき、ベルト９０は、トレイ搬送装置５４のベルト６０とほぼ同じ搬送速度で回転移動されるようになっており、支持台９２はトレイ６２の自由端部を支持しながら、トレイ６２の移動と共に移動する構成となっている。
【００６２】
このように、トレイ６２の移動に伴って支持台９２を移動させることで、トレイ６２の自由端部は常時支持台９２に支持された状態となる。したがって、トレイ６２に吸着保持された用紙Ｐは安定した状態で搬送される。
【００６３】
なお、本実施形態では、トレイ支持部材８４のローラ８８に駆動モータを接続して、トレイ搬送装置５４のベルト６０と同じ搬送速度となるようにトレイ支持部材８４のベルト９０を回転移動させる構成としたが、図８に示すように、ローラ８８の軸にギア９４を設け、このギア９４に噛合させたギア９５に取り付けられたプーリ９６と、ローラ５８の軸に設けたプーリ９７に、タイミングベルト９８を巻き掛けることで、ローラ５８の回転駆動によってローラ８８を従動回転させるようにしてもよい。これにより、トレイ搬送装置５４のベルト６０とトレイ支持部材８４のベルト９０を回転移動させるための駆動モータは１つだけでよいので、電力消費の節約に繋がる。また、ベルト９０とベルト６０をそれぞれ回転させた場合と比較して、ベルト９０の回転移動をベルト６０の回転移動に同期させやすい。
【００６４】
次に、本発明の第３の実施形態に係る画像記録装置１５０に搭載された一時スタックトレイ１５２ついて説明する。なお、第１の実施形態と同様の部分についての説明は割愛する。
【００６５】
図９及び図１０に示すように、トレイ搬送装置１５４のベルト６０には、上下方向に所定の間隔で複数のプラスチックトレイ１５６が取り付けられている。プラスチックトレイ１５６は、一端がベルト６０に回転可能に取り付けられた略矩形状の板部１５８を備えている。板部１５８の他端には、板部１５８に対して回動可能に板部１６０が連結されている。これにより、板部１５８は板部１６０に対して、また、板部１６０は板部１５８に対して折り畳み可能とされている。
【００６６】
また、板部１５８と板部１６０の接続部には、板部１５８の裏側からストッパ部材１６４が延びている。この構成により、用紙Ｐを吸着保持する領域（図中左側）では、ストッパ部材１６４が板部１６０を支持するため、板部１６０が下側に向かって回動するのを阻止されるので、プラスチックトレイ１５６は平板状となる。さらに、ベルト６０には支持台１６２が設けられており、板部１５８がベルト６０の左側に位置するとき、板部１５８の取付部を支持して水平姿勢を保持する。
【００６７】
また、板部１５８及び板部１６０のそれぞれの一方の面には、図５（Ｂ）に示すような用紙吸着シート６８が貼着されている。これにより、プラスチックトレイ１５６上に送り込まれた用紙Ｐは、板部１５８及び板部１６０に静電吸着される。なお、用紙吸着シート６８を帯電させる機構は、第１の実施形態と同様なので割愛する。
【００６８】
これにより、図９に示すように、ベルト６０の回転移動によってプラスチックトレイ１５６の一端（ベルト６０に取り付けられた部分）が筐体５２の側壁５２Ａと直交する側壁５２Ｂ、５２Ｃに対向した位置にあるときには、支持台１６２とストッパ部材１６４は上下逆になる。このため、プラスチックトレイ１５６はトレイ搬送装置５４とこれらの側壁５２Ｂ、５２Ｃとの間に挟まれると、板部１６０が板部１５８側に折れ曲がると同時に、板部１５８がベルト６０側に折れ曲がり、側壁５２Ａに対向した位置にあるときには、プラスチックトレイ１５６は板部１５８がベルト６０側に折れ曲がる。
【００６９】
したがって、プラスチックトレイ１５６が側壁５２Ａ、５２Ｂ、５２Ｃ側にあるときは、トレイ搬送装置１５４の回動半径を小さくすることができるので、画像記録装置１５０が大型にならない。
【００７０】
このように、板状のプラスチックトレイ１５６を用いることで、用紙Ｐを全面に渡って密着させながら吸着保持することができる。また、板部１５８に対して板部１６０を折り畳み可能とすることで、画像記録装置１５０が必要以上に大型化しない。
【００７１】
なお、本実施形態では、第１の実施形態と同様にして、プラスチックトレイ１５６の自由端部を、移動しない支持段部７８で支持する構成としたが、第２の実施形態で用いた支持台９２が移動するタイプのトレイ支持部材８４（図７参照）で、プラスチックトレイ１５６の自由端部を支持する構成としてもよい。
【００７２】
次に、本発明の第４の実施形態に係る画像記録装置１７０に搭載された一時スタックトレイ１７２ついて説明する。なお、第１の実施形態と同様の部分についての説明は割愛する。
【００７３】
図１１に示すように、一時スタックトレイ１７２は、搬送方向に沿って２つのトレイ収容部１７４Ａ、１７４Ｂを有している。スタックトレイ収容部１７４Ａとスタックトレイ収容部１７４Ｂはほぼ同構成なので、スタックトレイ収容部１７４Ａを例にとって説明する。
【００７４】
スタックトレイ収容部１７４Ａは、搬送方向下流側が開口し上方向から見て略コ字状とされた筐体１７６を有している。筐体１７６の搬送方向と直交する方向の側壁には、所定の間隔で上下方向に複数（本実施形態では５本）のロール状のフィルムトレイ１７８Ａが設けられている。
【００７５】
図１２に示すように、フィルムトレイ１７８Ａは、筐体１７６の側壁に回動可能に取り付けられたローラ１８０Ａに巻き取られている。ローラ１８０Ａの一方の端部にはギア１８４が取り付けられており、このギア１８４にはステッピングモータ１８８に接続されたギア１８６が噛合されている。これにより、ギア１８６をステッピングモータ１８８で回転し、ステッピングモータ１８８のパルス値をカウントすることで、フィルムトレイ１７８Ａの巻き出し長さを計測しながら、フィルムトレイ１７８Ａをローラ１８０Ａから巻き出したり巻き戻したりする。
【００７６】
また、フィルムトレイ１７８Ａは可撓性を有しているが、ローラ１８０Ａの矢印Ｅと反対方向の回転によってローラ１８０Ａから巻き出されたとき、図１１に示すように、全体的に下方に傾斜した平板状となる。なお、フィルムトレイ１７８Ａの材質としては、ＰＥＴやポリイミドなどの可撓性材料を用いることが望ましいが、これらに限定されるものではない。
【００７７】
図１２に示すように、ローラ１８０Ａ近傍の両端部には、ローラ１９０Ａ及びローラ１９０Ｂからなるガイドローラ１９０が設けられている。フィルムトレイ１７８Ａは、このガイドローラ１９０に挟持されて蛇行が防止される。
【００７８】
また、図１３に示すように、ローラ１８０Ａは上下方向に一列に配設されており、これらのローラ１８０にはそれぞれプーリ１９２が取り付けられている。そして、２つずつプーリ１９２にタイミングベルト１９４が巻き掛けられている。
【００７９】
一方、最上段のローラ１８０Ａには、図１２に示すように、ステッピングモータ１８８で駆動力が伝達される。これにより、ステッピングモータ１８８が駆動すると、最上段のローラ１８０Ａが回転し、タイミングベルト１９４を介して上から２段目のローラ１８０Ａが回転する。また、上から２段目のローラ１８０Ａが回転すると、タイミングベルト１９４を介して上から３段目のローラ１８０Ａが回転する。このようにして、全てのローラ１８０Ａが同時に回転する構成となっている。これにより、複数のフィルムトレイ１７８Ａが、同じタイミングでローラ１８０Ａから巻き出され、ローラ１８０Ａに巻き戻される構成となっている。
【００８０】
なお、本実施形態では、上下方向に配設されたローラ１８０Ａを、タイミングベルト１９４を用いることで同時に回転させる構成としたが、それぞれのローラ１８０Ａに駆動モータを接続して、駆動させる必要のあるローラに接続されたモータだけを駆動させる構成としてもよい。
【００８１】
また、第１の実施形態と同様に、図５（Ｂ）に示されるような電極７０が設けられた用紙吸着シート６８が、フィルムトレイ１７８Ａの一方の面（用紙Ｐが載置される面）に貼着されている。これにより、用紙吸着シート６８を帯電させることで、用紙Ｐが用紙吸着シート６８に静電吸着される。なお、本実施形態では、各フィルムトレイ１７８Ａに貼着される用紙吸着シート６８の電極７０に、それぞれ電圧印加装置を接続して、電圧印加装置からの電圧の印加をオン・オフさせることで、用紙吸着シート６８の帯電のオン・オフが行われる。
【００８２】
図１１に示すように、スタックトレイ収容部１７４Ａの下流側には、スタックトレイ収容部１７４Ｂが、開口側が互いに対向するようにして設けられている。また、スタックトレイ収容部１７４Ａの最上段のローラ１８０Ａは、スタックトレイ収容部１７４Ｂの最上段のローラ１８０Ｂよりも若干上側に位置している。
【００８３】
これにより、スタックトレイ収容部１７４Ａの最上段のフィルムトレイ１７８Ａの先端と、上から２段目のフィルムトレイ１７８Ａの先端の間に、スタックトレイ収容部１７４Ｂの最上段のフィルムトレイ１７８Ａの先端が位置する構成となっている。つまり、フィルムトレイ１７８Ａの先端と、フィルムトレイ１７８Ｂの先端が交互に位置する。
【００８４】
ここで、搬送装置２４から一時スタックトレイ１７２に搬送された用紙Ｐの搬送状態について説明する。まず、図１４（Ａ）に示すように、搬送装置２４（図１１参照）の搬送ベルト２８上の用紙Ｐがスタックトレイ収容部１７４Ａの最上段のフィルムトレイ１７８Ａに搬送される。このとき、フィルムトレイ１７８Ａ上の用紙吸着シート６８が帯電されて、用紙Ｐは先端がフィルムトレイ１７８Ａから飛び出した状態でフィルムトレイ１７８Ａ（正確には、用紙吸着シート６８）に静電吸着される。そして、ステッピングモータ１８８（図１２参照）の駆動によってローラ１８０Ａが矢印Ｅ方向に回転すると、フィルムトレイ１７８Ａがローラ１８０Ａから巻き出される。
【００８５】
図１４（Ｂ）に示すように、フィルムトレイ１７８Ａが所定の位置まで巻き出されると、フィルムトレイ１７８Ａ上の用紙Ｐがスタックトレイ収容部１７４Ｂの最上段のフィルムトレイ１７８Ｂに接触する。ここで、フィルムトレイ１７８Ａの用紙吸着シート６８の帯電をオフすると同時に、スタックトレイ収容部１７４Ｂのフィルムトレイ１７８Ｂの用紙吸着シート６８の帯電をオンする。これにより、用紙Ｐの先端は、フィルムトレイ１７８Ｂに静電吸着される。そして、図１４（Ｃ）に示すように、スタックトレイ収容部１７４Ａのフィルムトレイ１７８Ａを巻き戻すと、用紙Ｐはスタックトレイ収容部１７４Ａの最上段のフィルムトレイ１７８Ａから、スタックトレイ収容部１７４Ｂの最上段のフィルムトレイ１７８Ｂに完全に受け渡される。
【００８６】
用紙Ｐがスタックトレイ収容部１７４Ｂのフィルムトレイ１７８Ｂに受け渡されると、図１４（Ｄ）に示すように、スタックトレイ収容部１７４Ｂのフィルムトレイ１７８Ｂが巻き出される。そして、同じようにしてスタックトレイ収容部１７４Ｂのフィルムトレイ１７８Ｂから、スタックトレイ収容部１７４Ａの２段目のフィルムトレイ１７８Ａへ用紙Ｐが受け渡される。
【００８７】
このようにして、用紙Ｐは、スタックトレイ収容部１７４Ａのフィルムトレイ１７８Ａからスタックトレイ収容部１７４Ｂのフィルムトレイ１７８Ｂへ交互に受け渡されながら、下方に向かって搬送される。
【００８８】
そして、用紙Ｐがスタックトレイ収容部１７４Ｂの最下段のフィルムトレイ１７８Ｂに受け渡されると、フィルムトレイ１７８Ｂが巻き出されて用紙受け渡し装置４２（図１１参照）に受け渡される。そして、用紙受け渡し装置４２の搬送ベルト４６に静電吸着され、搬送ベルト４６の回転移動によって矢印Ｂ方向に搬送されて、記録ヘッドユニット３６（図１参照）の下に表裏反転された状態で送り込まれる。そして、用紙Ｐの裏面に画像が形成される。
【００８９】
このように、画像が形成された用紙Ｐを下方に向かって搬送することで、用紙受け取り装置４２に受け渡される間に用紙Ｐの乾燥が行われ、カールやカックル等が矯正される。また、上流側と下流側のフィルムトレイ１７８に順次用紙Ｐが受け渡されることで、用紙Ｐの搬送方向にテンションが作用するので、用紙Ｐにしわが発生しない。
【００９０】
次に、本発明の第５の実施形態に係る画像記録装置２００に搭載された一時スタックトレイ２０２ついて説明する。なお、第１の実施形態及び第４の実施形態と同様の部分についての説明は割愛する。
【００９１】
図１５に示すように、一時スタックトレイ２０２は、画像記録装置２００に固定された固定スタックトレイ収容部２０４を有している。固定スタックトレイ収容部２０４の下流側には、固定スタックトレイ収容部２０４に向かって接離可能とされた可動スタックトレイ収容部２０６が設けられている。
【００９２】
固定スタックトレイ収容部２０４は、搬送方向下流側が開口し上方向から見て略コ字状とされた筺体２０８を有している。筺体２０８の側壁には所定の間隔で上下方向に複数（本実施形態では５枚）のトレイ２１０が、側壁から開口側に向かって下り方向に傾斜されて取り付けられている。
【００９３】
また、第１の実施形態と同様に、図５に示されるような電極７０が設けられた用紙吸着シート６８が、トレイ２１０の一方の面（用紙Ｐが載置される面）に貼着されており、用紙吸着シート６８に用紙Ｐが静電吸着されるようになっている。
【００９４】
一方、可動スタックトレイ収容部２０６は固定スタックトレイ収容部２０４とほぼ同じ構成とされており、筐体２１２の開口側が、固定スタックトレイ収容部２０４の筐体２０８の開口側と対向するようにして、固定スタックトレイ収容部２０４の搬送方向下流側に配設されている。このとき、固定スタックトレイ収容部２０４の最上段のトレイ２１０は、可動スタックトレイ収容部２０６の最上段のトレイ２１４よりも若干上側に位置している。これにより、固定スタックトレイ収容部２０４の最上段のトレイ２１０の先端と上から２段目のトレイ２１０の先端の間に、可動スタックトレイ収容部２０６の最上段のトレイ２１４の先端が位置している。つまり、トレイ２１０の先端と、トレイ２１４の先端が交互に位置する構成となっている。
【００９５】
図１６に示すように、可動スタックトレイ収容部２０６の筐体２１２の底面２１２Ａの略中央部には、搬送方向に沿ってラック２１６が設けられている。ラック２１６には、モータ２１８に取り付けられたピニオン２２０が噛合している。また、筐体２１２は、画像記録装置２００本体の底部に搬送方向に沿って設けられたレール２２２によって、側壁２１２Ｂ及び底板２１２Ａが支持されている。これにより、モータ２１８が回転すると、筐体２１２が搬送方向に沿って移動するようになっている。
【００９６】
ここで、搬送装置２４から一時スタックトレイ２０２に搬送された用紙Ｐの搬送状態について説明する。まず、図１７（Ａ）に示すように、搬送装置２４（図１１参照）上の用紙Ｐが固定スタックトレイ収容部２０４の最上段のトレイ２１０に搬送される。ここで、トレイ２１０の用紙吸着シート６８が帯電されて、用紙Ｐがトレイ２１０に静電吸着される。
【００９７】
そして、図１７（Ｂ）に示すように、モータ２１８（図１６参照）を駆動させ、可動スタックトレイ収容部２０６を固定スタックトレイ収容部２０４側に向かって移動させる。ここで、トレイ２１０の用紙吸着シート６８の帯電を停止して、可動スタックトレイ収容部２０６のトレイ２１４の用紙吸着シート６８を帯電させる。これにより、固定スタックトレイ収容部２０４の最上段のトレイ２１０上の用紙Ｐが、可動スタックトレイ収容部２０６の最上段のトレイ２１４に静電吸着される。
【００９８】
次に、図１７（Ｃ）に示すように、可動スタックトレイ収容部２０６を固定スタックトレイ収容部２０４から離れる方向へ移動させることで、用紙Ｐは固定スタックトレイ収容部２０４の最上段のトレイ２１０から、可動スタックトレイ収容部２０６の最上段のトレイ２１４に完全に受け渡される。
【００９９】
そして、図１７（Ｄ）に示すように、可動スタックトレイ収容部２０６を固定スタックトレイ収容部２０４側に向かって移動させ、固定スタックトレイ収容部２０４のトレイ２１０の用紙吸着シート６８を帯電させて、可動スタックトレイ収容部２０６のトレイ２１４の用紙吸着シート６８の帯電を停止すると、可動スタックトレイ収容部２０６の最上段のトレイ２１４上の用紙Ｐが、固定スタックトレイ収容部２０４の上から２段目のトレイ２１０に静電吸着される。
【０１００】
さらに、図１７（Ｅ）に示すように、可動スタックトレイ収容部２０６を固定スタックトレイ収容部から離れる方向に移動させることで、用紙Ｐは可動スタックトレイ収容部２０６の最上段のトレイ２１４から、固定スタックトレイ収容部２０４の上から２段目のトレイ２１０に完全に受け渡される。
【０１０１】
このようにして、用紙Ｐは固定スタックトレイ収容部２０４のトレイ２１０から可動スタックトレイ収容部２０６のトレイ２１４へ交互に受け渡されながら下方に向かって搬送される。
【０１０２】
可動スタックトレイ収容部２０６の最下段のトレイ２１４に受け渡された用紙Ｐは、可動スタックトレイ収容部２０６が固定スタックトレイ収容部２０４側へ移動してトレイ２１４の用紙吸着シート６８の帯電が停止されると、用紙受け渡し装置４２（図１５参照）の搬送ベルト４６に静電吸着される。これにより、用紙Ｐは搬送ベルト４６の回転移動によって矢印Ｂ方向に搬送されて、記録ヘッドユニット３６（図１参照）の下に表裏反転された状態で送り込まれる。
【０１０３】
このように、画像が形成された用紙Ｐを下方に向かって搬送することで、用紙受け取り装置４２に受け渡される間に用紙Ｐの乾燥が行われ、カールやカックル等が矯正される。
【０１０４】
次に、本発明の第６の実施形態に係る画像記録装置２００に搭載された一時スタックトレイ２０２ついて説明する。なお、第１の実施形態と同様の部分についての説明は割愛する。
【０１０５】
図１８及び図１９に示すように、受け渡し装置２３４は、搬送装置２４のローラ２７に近接して配設されたローラ２３６と、このローラ２３６よりも搬送方向下流側の斜め上側に設けられたローラ２３８と、ローラ２３８に対して搬送方向下流側に略平行に設けられたローラ２４０を有しており、ローラ２３６、２３８、２４０には無端状の搬送ベルト２４２が巻き掛けられている。これにより、ローラ２３８とローラ２４０に巻き掛けられて形成された搬送面２４２Ａは、画像記録装置本体２３２の底面２３２Ａに対して略平行とされ、ローラ２３６とローラ２３８に巻き掛けられて形成された搬送面２４２Ｂは、ローラ２３６側に向かって下り勾配とされている。
【０１０６】
また、ローラ２３６には図示しない駆動モータが接続されており、駆動モータの回転駆動によってローラ２３６が回転すると、搬送ベルト２４２は所定の方向（矢印Ｆ方向）に回転移動する構成となっている。
【０１０７】
搬送ベルト２４２の搬送面２４２Ａの上方には、一時スタックトレイ２４４が設けられている。図１９及び図２０に示すように、一時スタックトレイ２４４は、搬送ベルト２４２の幅よりも大きいサイズの支持フレーム２４６、２４８を有している。支持フレーム２４６、２４８は、ローラ２３８、２４０の上方に、それぞれ搬送ベルト２４２に対して垂直に設けられている。
【０１０８】
支持フレーム２４６、２４８の四隅には、支持フレーム２４６、２４８に跨るようにして、４本のシャフト２５０、２５１が回転可能に支持されている。シャフト２５０、２５１の両端部の支持フレーム２４６、２４８よりも内側には、ギア２５２が取り付けられている。ギア２５２の外周には、所定の間隔で周方向に沿って複数の円弧状の凹部２５４が形成されている。この凹部２５４にはチェーン２５６の軸受部２６４が係合されるようになっている。
【０１０９】
軸受部２６４は、図２１に示すように、複数のコマ２５８が連結してチェーン２５６を構成している。コマ２５８は、所定の厚みを有する基体２６０と、基体２６０の外周部に張り出した軸受部２６２、２６４、２６６とで構成されている。軸受部２６２の厚み方向の内側には切欠２６８が形成されており、この切欠２６８には非導電性部材で成形された用紙保持アーム２８０の軸受部２８６が嵌合されるようになっている。
【０１１０】
また、軸受部２６６は基体２６０よりも厚み方向が小さくされており、他のコマ２５８の軸受部２６４に形成された切欠２７０に嵌合されるようになっている。そして、軸受部２６４に形成された孔部２７２に挿通されたシャフト２７４を、軸受部２６６に形成された孔部２７６に挿通させることで、一方のコマ２５８は他方のコマ２５８に対して回動可能に連結される。
【０１１１】
一方、用紙保持アーム２８０は、用紙Ｐを保持する保持面２８２Ａを有するアーム部２８２と、アーム部２８２に対して略垂直に設けられた支持片２８４とで、略Ｔ字状に構成されている。支持片２８４の一方の端部には軸受部２８６が設けられており、この軸受部２８６がコマ２５８の軸受部２６２に形成された切欠２６８に嵌合される。軸受部２８６には孔部２８８が形成されており、コマ２５８の軸受部２６２に形成された孔部２７８に挿通されたシャフト２７９が、この孔部２８８に挿通されることで、用紙保持アーム２８０がコマ２５８に対して回動可能に取り付けられる。
【０１１２】
図２０に示すように、チェーン２５６は、垂直方向に位置する２つのギア２５２に巻き掛けられており、下方に位置するシャフト２５０に接続されたモータ２９０（図１９参照）によって、シャフト２５０が矢印Ｇ方向に回転すると、シャフト２５０、２５１に取り付けられたギア２５２を介してチェーン２５６が矢印Ｇ方向に回転移動するようになっている。これにより、用紙保持アーム２８０が矢印Ｇ方向に沿って移動する構成となっている。
【０１１３】
図２２に示すように、搬送方向に沿って同一平面上に設けられた２つの用紙保持アーム２８０に跨るように、静電吸着パッド２９４が貼着されている。静電吸着パッド２９４の内側には、電極２９２が設けられている。この電極２９２に電圧が印加されると静電吸着パッド２９４が帯電されて、保持面２８２Ａに静電吸着力が発生し、用紙Ｐが静電吸着されるようになっている。
【０１１４】
一方、用紙保持アーム２８０には、図示しない配線により電極２９２と電気的に接続された導通部材２８５が設けられている。また、チェーン２５６には、図示しない電圧印加装置が接続されている。
【０１１５】
このような構成において、チェーン２５６に電圧が印加されると、チェーン２５６のギア２５２に巻き掛けられて直線状とされている部分、且つ、用紙Ｐの搬送領域（搬送ベルト２４２の真上の空間）に用紙保持アーム２８０が位置しているときは、用紙保持アーム２８０の支持片２８４の側面２８４Ａがチェーン２５６の基体２６０の側面２６０Ａに接触して、チェーン２５６と用紙保持アーム２８０の導通部材２８５が電気的に接触する。これにより、チェーン２５６から用紙保持アーム２８０に通電され、静電吸着パッド２９４が帯電されて保持面２８２Ａに静電吸着力が発生する。
【０１１６】
チェーン２５６のギア２５２に沿って巻き掛けられている部分に用紙保持アーム２８０が位置すると、用紙保持アーム２８０は自重によって矢印Ｋ方向に回転する。これにより、用紙保持アーム２８０の支持片２８４の側面２８４Ａは、チェーン２５６の基体２６０の側面２６０Ａから離れて、チェーン２５６に印加された電圧が用紙保持アーム２８０に通電しない。つまり、保持面２８２Ａの静電吸着力がオフされる。
【０１１７】
そして、チェーン２５６のギア２５２に巻き掛けられて直線状とされている部分、且つ、用紙Ｐの搬送領域外（搬送ベルト２４２の真上の空間と反対側の空間）に用紙保持アーム２８０が位置しているときは、用紙保持アーム２８０の支持片２８４の側面２８４Ａは、チェーン２５６の基体２６０の側面２６０Ａと接触しない。つまり、チェーン２５６に印加された電圧は用紙保持アーム２８０に通電しないので、保持面２８２Ａには静電吸着力が発生しない。
【０１１８】
チェーン２５６のギア２５２に沿って巻き掛けられている部分に位置した用紙保持アーム２８０は、チェーン２５６が直線状になる近傍で自重によって回転する。これにより、用紙保持アーム２８０の支持片２８４の側面２８４Ａがチェーン２５６の基体２６０の側面２６０Ａに接触して、チェーン２５６と用紙保持アーム２８０の導通部材２８５が電気的に接触する。
【０１１９】
このような構成により、図１９に示すように、搬送装置２４上の用紙Ｐが一時スタックトレイ２４４に送り込まれると、チェーン２５６に対して電気的に接触している静電吸着パッド２９４に用紙Ｐが静電吸着されて、図２０に示すように、ギア２５２の矢印Ｇ方向の回転によって下方に搬送される。
【０１２０】
そして、用紙保持アーム２８０が受け渡し装置２３４の搬送ベルト２４２の搬送面２４２Ａとほぼ同一高さまで移動すると、チェーン２５６の回転移動によってシャフト２７９を中心に自重で用紙保持アーム２８０が回転する。
【０１２１】
用紙保持アーム２８０が回転すると、導通部材２８５がチェーン２５６の基体２６０の側面２６０Ａから離れて静電吸着力が消失し、このタイミングで用紙Ｐは搬送ベルト２４２に静電吸着される。そして、搬送ベルト２４２の回転移動によって矢印Ｆ方向に搬送され、ローラ２７とローラ２３６でニップされて、搬送装置２４の搬送ベルト２８に静電吸着され、記録ヘッドユニット３６（図１参照）の下に表裏反転された状態で送り込まれる。
【０１２２】
なお、図２０に示すように、下側のシャフト２５０間の距離は、上側のシャフト２５１間の距離より大きくなるように設定されている。これにより、用紙保持アーム２８０が上から下へ移動するとき、保持面２８２Ａは外側に向かって徐々に水平移動するようになっている。これにより、用紙保持アーム２８０の保持面２８２Ａに搬送方向と平行な両端部が吸着保持された用紙Ｐは、下方へ移動するにしたがって、外側に向かって張力を受けるので、用紙Ｐの幅方向に発生したカールやカックルがこの時点で矯正される。
【０１２３】
また、本実施形態では、搬送装置２４（図１８参照）から一時スタックトレイ２４４に搬送された用紙Ｐは、一時スタックトレイ２４４によって上から下へ搬送される構成としたが、図２５に示すように、まず、搬送装置３１４から用紙受け渡し装置３１６へ用紙Ｐを送り込み、用紙受け渡し装置３１６の下流側に一時スタックトレイ３１８を配設し、用紙受け渡し装置３１６から受け渡された用紙Ｐを下から上へ搬送して、搬送装置３１４に送り込む構成とすることもできる。このような構成を採る場合には、下側のシャフト２５０間の距離が、上側のシャフト２５１間の距離よりも小さくなるように設定して、用紙保持アーム２８０に吸着保持された用紙Ｐが上方へ移動するにしたがって、外側に向かって張力を受けるようにする。
【０１２４】
次に、本発明の第７の実施形態に係る画像記録装置３００に搭載された一時スタックトレイ３０２ついて説明する。なお、第１の実施形態及び第６の実施形態と同様の部分についての説明は割愛する。
【０１２５】
図２３に示すように、一時スタックトレイ３０２のチェーン２５６の軸受部２６２には、ギア３０４が取り付けられている。ギア３０４には、ギア３０４よりも小径とされギア３０４と一体回転するギア３０６が、ギア３０４と同軸となるように設けられている。ギア３０６には、ギア３０８が噛合されており、ギア３０４の回転によってギア３０６がギア３０４と同一方向に回転すると、ギア３０８がギア３０４、３０６と逆方向に回転する構成となっている。ギア３０８には、図１０に示されている第３の実施形態と同様の折り畳み可能とされたプラスチックトレイ１５６の一端が取り付けられている。
【０１２６】
プラスチックトレイ１５６には、第３の実施形態と同様にして、図５（Ｂ）に示すような用紙吸着シート６８が貼着されており、用紙Ｐはプラスチックトレイ１５６に静電吸着される。
【０１２７】
一方、ギア２５２（図２０参照）近傍には、歯車３１０が設けられている。歯車３１０は、全周の略４分の１を有する扇形状とされ、周面が搬送領域（搬送ベルト２４２の真上の空間）から用紙受け渡し装置２３４の搬送ベルト２４２の搬送面２４２Ａに対向する位置に向けられて設けられている。これにより、チェーン２５６の回転移動によってギア３０４が歯車３１０近傍に移動すると、ギア３０４は歯車３１０に噛合するようになっている。
【０１２８】
搬送装置２４（図１５参照）の搬送ベルト２８の回転移動によって、一時スタックトレイ３０２に送り込まれた用紙Ｐは、最上部にあるプラスチックトレイ１５６に静電吸着される。そして、チェーン２５６の回転移動によってプラスチックトレイ１５６が下方に移動することにより下方に搬送される。
【０１２９】
そして、ギア３０４が歯車３１０に噛合すると、ギア３０４が矢印Ｈ方向に強制的に回転させられる。ギア３０４の回転と同時にギア３０６も矢印Ｈ方向に回転して、ギア３０８が矢印Ｈ方向と反対方向（矢印Ｊ方向）に回転する。これにより、外力が作用しない場合には傾くプラスチックトレイ１５６は、用紙Ｐを保持する保持面１５６Ａが画像記録装置３００本体の底面に対して平行状態を保ちながら下方へ移動する。
【０１３０】
プラスチックトレイ１５６が、搬送ベルト２４２の搬送面２４２Ａ近傍まで移動すると、プラスチックトレイ１５６上の用紙Ｐは、用紙受け渡し装置２３４の搬送ベルト２４２に静電吸着される。これにより、用紙Ｐはプラスチックトレイ１５６から搬送ベルト２４２に受け渡される。
【０１３１】
なお、上記のようにプラスチックトレイ１５６を水平状態として最下端まで移動させるには、歯車３１０の回転半径をｒ0、ギア３０４の回転半径をｒ1、ギア３０６の回転半径をｒ2、ギア３０８の回転半径をｒ3としたとき、ｒ0／ｒ1＝ｒ3／ｒ2の関係である必要がある。
【０１３２】
ここで、ギア３０４、３０４、３０８、３１０の回転半径の関係について、図２４を元に説明する。ギア３１０を歯車０、ギア３０４を歯車１、ギア３０６を歯車２、ギア３０８を歯車３として、各歯車ｎの回転半径（歯車の半径）をｒn、回転角をθn（右回りを正とする）とする。
このとき、歯車０と歯車１の関係式は次のようになる。
【０１３３】
ｒ0θ0＋ｒ1θ1＝（ｒ0＋ｒ1）θa としたとき、
θ1＝（ｒ0／ｒ1＋１）θa−（ｒ0／ｒ1）θ0  （１）
また、歯車２と歯車３の関係式は次のようになる。
【０１３４】
ｒ2θ2＋ｒ3θ3＝（ｒ2＋ｒ3）θb  としたとき、
θ2＝（１＋ｒ3／ｒ2）θb−（ｒ3／ｒ2）θ3  （２）
ここで、歯車１と歯車２は同軸一体の関係にあるのでθ1＝θ2となり、（１）式と（２）式は等号関係にある。これにより、次の式が成り立つ。
【０１３５】
（ｒ0／ｒ1＋１）θa−（ｒ0／ｒ1）θ0
＝（１＋ｒ3／ｒ2）θb−（ｒ3／ｒ2）θ3  （３）
ここで、歯車３の向きを一定にさせるという機構の動作条件により、下記の関係が成り立つ。
【０１３６】
−θa＝−θb、θ0＝０（固定）、θ3＝０（向き一定）
そして、これらの条件式を（３）に代入すると、各歯車の回転半径の比は以下のようになる。
【０１３７】
ｒ0／ｒ1＝ｒ3／ｒ2
上記関係が成立するように、ギア３０４、３０６、３０８、３１０の回転半径を設定することで、プラスチックトレイ１５６は、最下端まで水平状態を保ちながら移動する。
【０１３８】
プラスチックトレイ１５６から搬送ベルト２４２に用紙Ｐが受け渡されると、チェーン２５６の回転移動によって、ギア３０４と歯車３１０の噛合が解除される。これにより、ギア３０４の強制的な回転が停止され、ギア３０４はチェーン２５６に固定された状態で、チェーン２５６の回転移動によって移動する。このとき、プラスチックトレイ１５６の一端（ギア３０４に取り付けられた部分）が筐体３１２の底面３１２Ａに接触すると、板部１６０が板部１５８側に折れ曲がる。そして、チェーン２５６がさらに回転移動して、プラスチックトレイ１５６が筐体３１２の側壁３１２Ｂ側に移動すると、プラスチックトレイ１５６はチェーン２５６に沿った状態となる。
【０１３９】
このように、プラスチックトレイ１５６が搬送領域以外に位置しているときは、トレイ搬送装置１５４の回動半径を小さくすることができるので、画像記録装置３００が大型にならない。
【０１４０】
なお、本実施形態でも第６の実施形態と同様に、図２５に示すように、搬送装置３１４から用紙受け渡し装置３１６へ用紙Ｐを送り込み、用紙受け渡し装置３１６の下流側に一時スタックトレイ３１８を配設し、用紙受け渡し装置３１６から受け渡された用紙Ｐを下から上へ搬送して、搬送装置３１４に送り込む構成とすることもできる。
【０１４１】
次に、本発明の第８の実施形態に係る画像記録装置３２０に搭載された一時スタックトレイ３２２ついて説明する。なお、第１の実施形態と同様の部分についての説明は割愛する。
【０１４２】
図２６に示すように、画像記録装置３２０の画像記録装置本体３２１の略中央部に設けられた搬送装置３２４は、記録ヘッド３８の両側に配置された２本のローラ３２６、３２８と、ローラ３２８の右下に配置されたローラ３３０を備えており、これらのローラ３２６、３２８、３３０は、無端状の搬送ベルト３３２が巻き掛けられている。これにより、ローラ３２６が図示しない駆動モータによって回転駆動されることにより、搬送ベルト３３２は所定の方向（矢印Ａ方向）へ回転移動する構成となっている。
【０１４３】
ローラ３２８とローラ３３０の間には、搬送ベルト３３２を搬送面側から張架するようにして帯電ローラ３３４が設けられており、搬送ベルト３３２は帯電ローラ３３４によって帯電される。これにより、用紙Ｐは搬送ベルト３３２に静電吸着され、搬送ベルト３３２の回転移動に伴い矢印Ａ方向へ搬送される。
【０１４４】
ローラ３２６近傍には、押圧ローラ３５６が設けられている。これにより、搬送路２０から搬送ベルト３３２上に送り込まれた用紙Ｐは、押圧ローラ３５６によって搬送ベルト３３２に押圧される。
【０１４５】
また、ローラ３２８近傍には除電機構３３６が設けられている。搬送ベルト３３２上の用紙Ｐは、除電機構３３６によって搬送ベルト３３２上から剥離され、ローラ３２８の下流側に設けられた剥離部材３３８に案内されて、拍車ローラ３４０によって押圧されながら、搬送方向下流側に設けられた一時スタックトレイ３４２へ送り込まれる。
【０１４６】
図２７に示すように、一時スタックトレイ３４２は、垂直方向に設けられたスライドレール３４４を有しており、このスライドレール３４４には、８枚のトレイ１、２、３、４、５、６、７、８が所定の間隔で固定されたスライド部材３４６と、トレイ９が固定されたスライド部材３４８とが上下方向に移動可能に設けられている。スライド部材３４６、３４８は、それぞれ図示しない移動装置に接続されており、移動装置によってトレイ１〜９がスライドレール３４４に沿って上下方向に移動する構成となっている。
【０１４７】
ここで、トレイ１〜９の形状について簡単に説明する。なお、トレイ１〜９は同形状とされているので、ここではトレイ１を例にとって説明する。トレイ１は、図２８に示すように、板状のトレイ部材３５０を有しており、一方の端部には、切欠３５８が形成されている。切欠３５８には、一時スタックトレイ３４２の下方に、ローラ３３０に近設して設けられた再給紙ローラ３５２が突出するようになっており、トレイ部材３５０に用紙Ｐを載置したとき、切欠３５８から突出した再給紙ローラ３５２が用紙Ｐに接触して、再給紙ローラ３５２の回転によって用紙Ｐをトレイ部材３５０上から排出する構成となっている。
【０１４８】
つまり、再給紙ローラ３５２が設けられた位置までトレイ１が移動すると、トレイ１に収容された用紙Ｐは再給紙ローラ３５２によってピックアップされ、トレイ１から取り出されて搬送ベルト３３２へ送り込まれる。そして、搬送ベルト３３２に静電吸着されて、記録ヘッドユニット３６の下に表裏反転された状態で搬送される。これにより、用紙Ｐの裏面に画像が形成されるようになっている。
【０１４９】
なお、図３０（Ｃ）に示すように、スライドレール３４４の搬送面３３２Ａの略延長線（排紙位置）上には、ストッパ部材３５４が設けられている。ストッパ部材３５４がスライド部材３４８の下面に当接すると、スライド部材３４８はストッパ部材３５４によって所定の位置より下方向への移動が阻止される。これにより、トレイ９は、排紙位置より下方には移動しない構成となっている。
【０１５０】
一方、スライド部材３４６の裏側には図示しない凹部が形成されている。凹部は、ストッパ部材が通過可能なサイズを有しており、ストッパ部材３５４が凹部を通過することで、スライド部材３４６はストッパ部材３５４によって下方への移動が妨げられることがない。
【０１５１】
ここで、一時スタックトレイ３４２に送り込まれた用紙Ｐの搬送経路について図２９のシーケンス表及び図３０を用いて説明する。
【０１５２】
図２９に示すように、まず、トレイ１が排紙位置にあるとき、このトレイ１に搬送装置３２から用紙Ｐが送り込まれる。このときの状態が、図３０（Ａ）に示されている。
【０１５３】
トレイ２が排紙位置に移動すると、トレイ２に用紙Ｐが送り込まれる。このようにして、順にトレイ３、４、５に用紙Ｐが送り込まれて、図３０（Ｂ）に示すように、排紙位置にトレイ６が移動すると、反転給紙位置にトレイ１が移動する。
【０１５４】
ここで、トレイ６に用紙Ｐが送り込まれると同時に、トレイ１から用紙Ｐが給紙される。トレイ１から給紙された用紙Ｐは、裏面に画像が形成され、トレイ７を通して図示しない排紙トレイへ排出される。同様にして、トレイ２、３から給紙され裏面に画像が形成された用紙Ｐは、順にトレイ８、９を通して排紙トレイへ排出される。
【０１５５】
図３０（Ｃ）に示すように、トレイ９が排紙位置に移動すると、ストッパ部材３５４が作動して、トレイ９は排紙位置で待機する。そして、この状態で、順にトレイ５、６、７、８が反転給紙位置に移動して用紙Ｐが給紙され、裏面に画像が形成された用紙Ｐは、トレイ９を通して排紙トレイへ排出される。
【０１５６】
次に、トレイ８から用紙Ｐが排出されると、トレイ１〜８がまとまって上昇する。そして、トレイ８がトレイ９と接続して、トレイ１〜９がまとまって一気に図３０（Ａ）の状態まで上昇する。
【０１５７】
このような構成によって、用紙Ｐは、トレイ１〜９で保持された状態で上下方向に移動する間に、乾燥が行われてカールやカックル等の変形が矯正される。
【０１５８】
なお、本実施形態においても、第１の実施形態と同様にして、図５（Ｂ）に示すような用紙吸着シート６８をトレイ１〜８に貼着して、搬送装置３２からトレイに用紙Ｐが送り込まれる直前に、トレイ１〜８に貼着された用紙吸着シート６８を帯電させる構成としてもよい。これにより、用紙吸着シート６８に静電吸着力が発生し、用紙Ｐが用紙吸着シート６８に静電吸着される。また、トレイ１〜８から搬送装置３２４へ用紙Ｐが給紙される直前で、用紙吸着シート６８への給電を停止する。これにより、用紙吸着シート６８の静電吸着力が解除されるので、用紙Ｐはトレイ１〜８から搬送ベルト３３２へ円滑に受け渡される。
【０１５９】
また、図示しないが、本実施形態で説明した画像記録装置には、画像信号に応じて液滴の噴射タイミングと使用するノズルを決定し、そのノズルに駆動信号を印加する記録ヘッド制御手段と、画像記録装置全体の動作を制御するシステム制御手段が備えられている。      
【０１６０】
さらに、本発明に係る画像記録装置は、ファクシミリ、複写機、プリンター複合機、ワークステーション等の出力機器として用いられる記録装置等、用紙Ｐ上への文字や画像の記録に用いられるものに限定されるものではなく、例えば、高分子フィルムやガラス上に着色インクを吐出して行うディスプレイ用のカラーフィルターの作製等にも適用可能である。
【０１６１】
すなわち、本発明における「記録媒体」は、用紙Ｐに限定されるものではなく、例えばＯＨＰシートや配線パターン等が形成される基板なども含まれる。そして、本発明における「画像」は、一般的な画像（文字、絵、写真など）のみならず、インク滴が記録媒体上に着弾されることで得られるドットのパターン（配線パターン）なども含まれる。
【図面の簡単な説明】
【０１６２】
【図１】本発明の第１の実施形態の画像記録装置を示す概略構成図である。
【図２】本発明の第１の実施形態の画像記録装置に搭載された一時スタックトレイの概略構成図である。
【図３】本発明の第１の実施形態の一時スタックトレイを構成するトレイの取り付け方法を示す説明図である。
【図４】本発明の第１の実施形態の一時スタックトレイの構成を示す部分斜視図である。
【図５】本発明の第１の実施形態の一時スタックトレイを構成するトレイの構成を示す簡略図である。
【図６】本発明の第１の実施形態の一時スタックトレイによる用紙の搬送状態の説明図である。
【図７】本発明の第２の実施形態の画像記録装置に搭載された一時スタックトレイの概略構成図である。
【図８】本発明の第２の実施形態の画像記録装置に搭載された一時スタックトレイの他の形態を示す概略図である。
【図９】本発明の第３の実施形態の画像記録装置に搭載された一時スタックトレイの概略構成図である。
【図１０】本発明の第３の実施形態の一時スタックトレイを構成するトレイの構成を示す斜視図である。
【図１１】本発明の第４の実施形態の画像記録装置に搭載された一時スタックトレイの概略構成図である。
【図１２】本発明の第４の実施形態の一時スタックトレイを構成するトレイの構成を示す斜視図である。
【図１３】本発明の第４の実施形態の一時スタックトレイの構成を示す斜視図である。
【図１４】本発明の第４の実施形態の一時スタックトレイによる用紙の搬送状態の説明図である。
【図１５】本発明の第５の実施形態の画像記録装置に搭載された一時スタックトレイの概略構成図である。
【図１６】本発明の第５の実施形態の一時スタックトレイの構成を示す斜視図である。
【図１７】本発明の第５の実施形態の一時スタックトレイによる用紙の搬送状態の説明図である。
【図１８】本発明の第６の実施形態の画像記録装置を示す概略構成図である。
【図１９】本発明の第６の実施形態の画像記録装置に搭載された一時スタックトレイの概略構成図である。
【図２０】本発明の第６の実施形態の画像記録装置に搭載された一時スタックトレイを搬送方向から見た状態を示す概略図である。
【図２１】本発明の第６の実施形態の画像記録装置に搭載された一時スタックトレイを構成するチェーンと用紙保持アームの関係を示す斜視図である。
【図２２】本発明の第６の実施形態の画像記録装置に搭載された一時スタックトレイを構成する用紙保持アームを示す斜視図である。
【図２３】本発明の第７の実施形態の画像記録装置に搭載された一時スタックトレイを搬送方向から見た状態を示す概略図である。
【図２４】本発明の第７の実施形態の画像記録装置に搭載された一時スタックトレイの支持する歯車の歯数比の関係を示す説明図である。
【図２５】本発明の他の形態の画像記録装置を示す概略構成図である。
【図２６】本発明の第８の実施形態の画像記録装置を示す概略構成図である。
【図２７】本発明の第８の実施形態の画像記録装置に搭載された一時スタックトレイの概略構成図である。
【図２８】本発明の第８の実施形態の画像記録装置に搭載されたトレイの構成を示す斜視図である。
【図２９】本発明の第８の実施形態の画像記録装置に搭載されたトレイのシーケンス表である。
【図３０】本発明の第８の実施形態の画像記録装置の搬送状態の説明図である。
【符号の説明】
【０１６３】
１０  画像記録装置
２４  搬送装置（搬送手段）
２８  搬送ベルト
３４  排紙トレイ（排紙部）
３８  記録ヘッド（液滴吐出ヘッド）
４２  用紙受け渡し装置（反転機構）
５０  一時スタックトレイ（吸着保持手段）
５４  トレイ搬送装置（移動手段）
６２  トレイ（吸着保持部材）
７４  トレイ支持柱（支持部材）
７８  支持段部（段部）
８２  一時スタックトレイ（吸着保持手段）
８４  トレイ支持部材（移動手段）
９０  ベルト
９２  支持台（支持段部）
１５６  プラスチックトレイ１５６（吸着保持トレー）
１６２  支持台
１６４  ストッパ部材（受け板）
１７２  一時スタックトレイ（吸着保持手段）
１７４Ａ  スタックトレイ収容部（上流側ロール搬送手段）
１７４Ｂ  スタックトレイ収容部（下流側ロール搬送手段）
１７８  フィルムトレイ（吸着保持シート）
２０４  固定スタックトレイ収容部（上流側固定受け部材）
２０６  可動スタックトレイ収容部（下流側移動受け部材）
２１０  トレイ（上流側吸着トレー）
２１４  トレイ（下流側吸着トレー）
２５６  チェーン（アーム支持部材）
２８０  用紙保持アーム（吸着保持アーム）
３０４  ギア（第３歯車）
３０６  ギア（第２歯車）
３０８  ギア（第１歯車）
３１０  歯車（第４歯車）
【図１】
2006256158.tif 000003
【図２】
2006256158.tif 000004
【図３】
2006256158.tif 000005
【図４】
2006256158.tif 000006
【図５】
2006256158.tif 000007
【図６】
2006256158.tif 000008
【図７】
2006256158.tif 000009
【図８】
2006256158.tif 000010
【図９】
2006256158.tif 000011
【図１０】
2006256158.tif 000012
【図１１】
2006256158.tif 000013
【図１２】
2006256158.tif 000014
【図１３】
2006256158.tif 000015
【図１４】
2006256158.tif 000016
【図１５】
2006256158.tif 000017
【図１６】
2006256158.tif 000018
【図１７】
2006256158.tif 000019
【図１８】
2006256158.tif 000020
【図１９】
2006256158.tif 000021
【図２０】
2006256158.tif 000022
【図２１】
2006256158.tif 000023
【図２２】
2006256158.tif 000024
【図２３】
2006256158.tif 000025
【図２４】
2006256158.tif 000026
【図２５】
2006256158.tif 000027
【図２６】
2006256158.tif 000028
【図２７】
2006256158.tif 000029
【図２８】
2006256158.tif 000030
【図２９】
2006256158.tif 000031
【図３０】
2006256158.tif 000032